(57)【要約】【課題】発光ダイオードを備えるビデオスクリーン、ディスプレイパネル、モジュールまたは他の構成要素に自動色彩調節方式を提供すること。【解決手段】発光ダイオード(「LED」)を備えるビデオスクリーン、パネル、モジュール、または他のディスプレイ構成要素の自動色彩/輝度調節のためのシステムおよび方法。このシステムおよび方法は、それぞれのモジュールに基準LEDおよび光センサを組み込み、それぞれの基準LEDから検知された劣化情報を使用して、モジュールにおけるディスプレイLEDによって受けた劣化の量を決定する。それぞれのモジュールは、それぞれの基準LEDから検知された劣化情報に基づいて1つの均一の色彩/輝度レベルを有するように調節される。【選択図】図1
2014102484.tif 000002
【特許請求の範囲】
【請求項１】
回路板の第1の面に接続された複数のディスプレイ発光体と、
前記回路板の第2の面に接続された基準発光体と、
前記基準発光体から放射された光に基づいて、前記複数のディスプレイ発光体によって受けた劣化の量を決定するための第1の回路と
を備える発光モジュール。
【請求項２】
前記劣化の量に基づいて、前記複数の発光体の特性を調節するための補正構成要素をさらに備える、請求項1に記載のモジュール。
【請求項３】
前記特性が、前記ディスプレイ発光体の色彩レベルである、請求項2に記載のモジュール。
【請求項４】
前記特性が、前記ディスプレイ発光体の輝度レベルである、請求項2に記載のモジュール。
【請求項５】
前記第1の回路が、
前記基準発光体によって放射された前記光を検知するための光センサであって、前記基準発光体から放射された前記光のレベルを示す第1の出力を有する、光センサと、
前記第1の出力を受け取るように接続され、前記基準発光体から放射された前記光の初期レベルを保存するための第1のメモリデバイスと、
前記第1の出力を受け取るように接続され、前記基準発光体から放射された前記光の現在のレベルを保存するための第2のメモリデバイスと、
前記初期レベルを前記現在のレベルと比較して、前記劣化の量を決定するための比較構成要素と
を備える、請求項1に記載のモジュール。
【請求項６】
前記初期レベルおよび前記現在のレベルがそれぞれ、前記基準発光体から放射された前記光の初期色彩レベルおよび現在の色彩レベルを示し、前記モジュールが、前記劣化の量に基づいて、前記複数のディスプレイ発光体の色彩レベルを調節するための補正構成要素をさらに備える、請求項5に記載のモジュール。
【請求項７】
前記初期レベルおよび前記現在のレベルがそれぞれ、前記基準発光体から放射された前記光の初期輝度レベルおよび現在の輝度レベルを示し、前記モジュールが、前記劣化の量に基づいて、前記複数のディスプレイ発光体の輝度レベルを調節するための補正構成要素をさらに備える、請求項5に記載のモジュール。
【請求項８】
複数の発光モジュールであって、それぞれが、
回路板の第1の面に接続された複数のディスプレイ発光体と、
前記回路板の第2の面に接続された基準発光体と、
前記基準発光体から放射された光に基づいて、前記複数のディスプレイ発光体によって受けた劣化の量を決定するための第1の回路と
を備える、複数の発光モジュールを
具備する発光ビデオスクリーン。
【請求項９】
それぞれの発光モジュールが、前記劣化の量に基づいて、前記複数のディスプレイ発光体の特性を調節するための補正構成要素をさらに備える、請求項8に記載のビデオスクリーン。
【請求項１０】
前記特性が、前記ディスプレイ発光体の色彩レベルである、請求項9に記載のビデオスクリーン。
【請求項１１】
前記特性が、前記ディスプレイ発光体の輝度レベルである、請求項9に記載のビデオスクリーン。
【請求項１２】
それぞれの第1の回路が、
前記基準発光体によって放射された前記光を検知するための光センサであって、前記基準発光体から放射された前記光のレベルを示す第1の出力を有する、光センサと、
前記第1の出力を受け取るように接続され、前記基準発光体から放射された前記光の初期レベルを保存するための第1のメモリデバイスと、
前記第1の出力を受け取るように接続され、前記基準発光体から放射された前記光の現在のレベルを保存するための第2のメモリデバイスと、
前記初期レベルを前記現在のレベルと比較して、前記劣化の量を決定するための比較構成要素と
を備える、請求項8に記載のビデオスクリーン。
【請求項１３】
それぞれのモジュールについて、前記初期レベルおよび前記現在のレベルがそれぞれ、前記基準発光体から放射された前記光の初期色彩レベルおよび現在の色彩レベルを示し、前記モジュールが、前記劣化の量に基づいて、前記複数のディスプレイ発光体の色彩レベルを調節するための補正構成要素をさらに備える、請求項12に記載のビデオスクリーン。
【請求項１４】
それぞれのモジュールについて、前記初期レベルおよび前記現在のレベルがそれぞれ、前記基準発光体から放射された前記光の初期輝度レベルおよび現在の輝度レベルを示し、前記モジュールが、前記劣化の量に基づいて、前記複数のディスプレイ発光体の輝度レベルを調節するための補正構成要素をさらに備える、請求項12に記載のビデオスクリーン。
【請求項１５】
複数のディスプレイ発光体、および複数の基準発光体を備えるビデオスクリーンと、
前記基準発光体から出力された光に基づいて、前記ビデオスクリーンを制御し、前記複数のディスプレイ発光体の自動調節を実行するように結合されたコントローラと
を備える、発光ビデオシステム。
【請求項１６】
前記基準発光体から出力された前記光が、前記ディスプレイ発光体によって受けた劣化の量を示す、請求項15に記載のシステム。
【請求項１７】
前記ビデオスクリーンが発光モジュールのアレイとして編成され、それぞれの発光モジュールが、
回路板の第1の面に接続された複数のディスプレイ発光体と、
前記回路板の第2の面に接続された基準発光体と、
前記基準発光体から放射された光に基づいて、前記複数のディスプレイ発光体によって受けた劣化の量を決定するための第1の回路と、
前記劣化の量に基づいて、前記複数のディスプレイ発光体の特性を調節するための補正構成要素と
を備える、請求項15に記載のシステム。
【請求項１８】
前記特性が、前記ディスプレイ発光体の色彩レベルである、請求項17に記載のシステム。
【請求項１９】
前記特性が、前記ディスプレイ発光体の輝度レベルである、請求項17に記載のシステム。
【請求項２０】
それぞれの第1の回路が、
前記基準発光体によって放射された前記光を検知するための光センサであって、前記基準発光体から放射された前記光のレベルを示す第1の出力を有する、光センサと、
前記第1の出力を受け取るように接続され、前記基準発光体から放射された前記光の初期レベルを保存するための第1のメモリデバイスと、
前記第1の出力を受け取るように接続され、前記基準発光体から放射された前記光の現在のレベルを保存するための第2のメモリデバイスと、
前記初期レベルを前記現在のレベルと比較して、前記劣化の量を決定するための比較構成要素と、
前記比較構成要素の出力部を第1の位置で前記制御パネルに接続し、前記比較構成要素の入力部を第2の位置で前記制御パネルに接続するための切替え構成要素と
を備える、請求項17に記載のシステム。
【請求項２１】
前記制御パネルが、それぞれのモジュールのそれぞれの比較構成要素から前記劣化の量を入力し、前記入力された劣化の量に基づいて、すべてのディスプレイ発光体について単一の調節レベルを決定し、それぞれのモジュールの前記比較構成要素に前記単一の調節レベルを出力し、それにより、前記それぞれのモジュールにおける前記補正構成要素が、その関連ディスプレイ発光体を前記単一の調節レベルに調節する、請求項20に記載のシステム。
【請求項２２】
複数の発光モジュールを備えた発光ビデオスクリーンの自動色彩補正を実行する方法であって、
それぞれのモジュールについて、前記モジュールにおける基準発光体からの現在の光レベルを入力するステップと、
それぞれのモジュールについて、前記基準発光体の基準レベルに対する前記現在の光レベルを前記モジュールの出力レベルと比較するステップと、
前記発光モジュールのすべての前記出力レベルを比較して、最低光レベルを決定するステップと、
前記ディスプレイ発光体がすべて、前記決定された最小光レベルを有するように前記モジュールのすべての前記光レベルを調節するステップと
を含む、方法。
【請求項２３】
前記光レベルが、前記発光体の色彩レベルに対応する、請求項22に記載の方法。
【請求項２４】
前記光レベルが、前記発光体の輝度レベルに対応する、請求項22に記載の方法。
【請求項２５】
それぞれのモジュールについての前記基準光レベルは、前記モジュールの初期動作において得られ、前記基準光レベルが、前記モジュールにおける第1のメモリに保存される、請求項22に記載の方法。
【請求項２６】
前記それぞれのモジュールについての前記現在の光レベルは、前記モジュールが前記スクリーンの一部として動作していた後に得られ、前記現在の光レベルが、前記モジュールにおける第2のメモリに保存される、請求項25に記載の方法。
【請求項２７】
前記方法が、前記スクリーンの前記出力レベルが確実に均一になるように、定期的に繰り返される、請求項22に記載の方法。
【発明の詳細な説明】
【技術分野】
【０００１】
関連出願の相互参照
本PCT国際出願は、2012年11月21日に出願された米国特許出願第13/683,774号に対する利益と優先権を主張するものであり、その全体が参照によって本明細書に組み込まれる。
【０００２】
本発明は、照明のデバイスおよび方法に関する。詳細には、本発明は、発光ダイオードを備えるビデオディスプレイスクリーン、パネル、モジュール、または他のディスプレイ構成要素の自動色彩調節のための方法およびシステムに関する。
【背景技術】
【０００３】
現在、LEDの輝度および低電力の要件から、ビデオディスプレイに発光ダイオード(「LED」)が使用されることは一般的である。LEDビデオスクリーンは、都市や町のいたる所で、スポーツイベントや、コンサートや、他のふさわしい場(例えば、ビルの屋内または屋外)で、例えば、広告、テキストおよび/またはグラフィック情報メッセージ、ならびにライブのビデオまたは予め録画されたビデオを表示するデジタル掲示板として使用される。LEDディスプレイウォールとも呼ばれるLEDビデオスクリーンは、所定の数および配置の制御可能なLEDを有する個々のパネルおよび/またはインテリジェントモジュール(IM)から構成される。パネルおよび/またはモジュールは、それらが1つの大型ディスプレイスクリーンに見えるように、互いに隣接して実装され、それらの出力が調節される。
【０００４】
残念なことに、LEDは、時間とともに劣化することで知られている。このことは、LEDが、初回使用前ほど明るくも、かつ/または色鮮やかでもなくなることを意味している。したがって、LEDビデオスクリーンが月単位および年単位で動作した後、スクリーンを構成するパネル、モジュールなどにおけるLEDは、最終的に劣化し、スクリーンの輝度および/または色彩に影響をもたらす。LEDビデオスクリーンが、どのように使用されていたか、および何を表示してきたかに応じて、個々のパネルおよびモジュールにおけるLEDの劣化レベルは、パネルごとに、およびモジュールごとに異なることがあり得る。すなわち、一部のLEDは、例えば、それらの場所、およびスクリーンが何を表示するために使用されていたかに応じて、他のLEDよりも頻繁に使用されることになるため、スクリーンの均一性(具体的には、その輝度および色彩出力に関して)が時間とともに悪化することになる。
【０００５】
現在、LEDスクリーンの色彩および輝度を調節する技法が存在するが、それらの手法は、手作業が非常に多いものである。本明細書に使用する用語「色彩調節」は、色彩および/または輝度の調節を示す。多くの場合、ウェブカメラまたは他のデジタルカメラが、スクリーンの出力をキャプチャするLEDスクリーンの外部の他の機器とともに使用される。外部の機器には、それらに限定しないが、スクリーンの制御パネルから分離した光センサおよびコンピュータが含まれる。さらに、操作者には、機器をセットアップし制御し、試験結果を決定し、調節プロセスを実行することが要求される。外部機器および操作者の必要性は、一般的な自動色彩調節技法を費用も時間もかかる、非効率的なものにしている。
【発明の概要】
【発明が解決しようとする課題】
【０００６】
したがって、発光ダイオードを備えるビデオスクリーン、ディスプレイパネル、モジュールまたは他の構成要素に自動色彩調節方式を提供する必要性が存在する。
【課題を解決するための手段】
【０００７】
上述の問題を考慮して、本明細書に開示される1つの態様により、発光モジュールが提供される。このモジュールは、回路板の第1の面に接続された複数のディスプレイ発光体と、回路板の第2の面に接続された基準発光体と、基準発光体から放射された光に基づいて、複数のディスプレイ発光体によって受けた劣化の量を決定するための第1の回路とを備える。
【０００８】
別の実施形態において、発光ビデオスクリーンが提供される。このスクリーンは、複数の発光モジュールを備える。それぞれの発光モジュールは、回路板の第1の面に接続された複数のディスプレイ発光体と、回路板の第2の面に接続された基準発光体と、基準発光体から放射された光に基づいて、複数のディスプレイ発光体によって受けた劣化の量を決定するための第1の回路とを備える。
【０００９】
さらに別の実施形態において、発光ビデオシステムが提供される。この発光ビデオシステムは、複数のディスプレイ発光体、および複数の基準発光体を備えるビデオスクリーンと、基準発光体から出力された光に基づいて、ビデオスクリーンを制御し、複数のディスプレイ発光体の自動調節を実行するように結合されたコントローラとを備える。
【００１０】
さらなる実施形態において、複数の発光モジュールを備えた発光ビデオスクリーンの自動色彩補正を実行する方法が提供される。この方法は、それぞれのモジュールについて、モジュールにおける基準発光体からの現在の光レベルを入力するステップと、それぞれのモジュールについて、基準発光体の基準レベルに対する現在の光レベルをモジュールの出力レベルと比較するステップと、発光モジュールのすべての出力レベルを比較して、最低光レベルを決定するステップと、ディスプレイ発光体がすべて、決定された最小光レベルを有するように、モジュールのすべての光レベルを調節するステップとを含む。
【００１１】
図は、単に例示目的に過ぎず、必ずしも縮尺通りに描かれていない。しかし、本発明自体は、添付の図面と合わせて解釈されると、続く詳細な説明を参照することによって最良に理解され得る。
【図面の簡単な説明】
【００１２】
【図１】開示される原理により構成されたLEDディスプレイモジュールの自動色彩調節のためのシステムを示す図である。
【図２】本明細書に開示される自動色彩調節プロセス中の図1に示す複数のLEDディスプレイモジュールから成るLEDビデオスクリーンを示す図である。
【図３】本明細書に開示される自動色彩調節プロセス後の図2のLEDビデオスクリーンを示す図である。
【発明を実施するための形態】
【００１３】
本明細書に開示される好ましい実施形態により、LEDビデオスクリーン、ディスプレイパネル、モジュール、または他の構成要素における自動色彩調節を実行するためのシステムおよび方法が提供される。開示されるシステムおよび方法は、LEDビデオスクリーンなどを自動的に、また人間の介入の必要性なしに、定期的にまたは常に確実に均一にする。したがって、開示されるシステムおよび方法は、現在の手作業による色彩調節方式よりも効率的であり、費用もかからない。
【００１４】
図1は、開示される原理により構成されたLEDディスプレイインテリジェントモジュール20の自動色彩調節のためのシステム10を示している。図示の実施形態において、LEDビデオスクリーン(例えば、図2に示されるLEDビデオスクリーン100)は、複数のインテリジェントモジュールを備えたパネルから成るので、システム10は、インテリジェントモジュール20のレベルで色彩/輝度を試験するように設計されている。これにより、スクリーンを確実に均一にする最良の技法が提供される。
【００１５】
図1に示されるように、それぞれのモジュール20は、回路板24に実装された複数のディスプレイLED22を備える。モジュール20は、任意の数のディスプレイLED22を備えることが可能である。通常の動作に際しては、プロセッサ(または制御パネル)が、回路板24に信号を送り、この回路板24は、望ましい形で光を放射するようにLED22を駆動する。上述したように、LED22は、時間とともに劣化し得るので、モジュール20およびスクリーン全体の色彩調節を実行するためのより優れた機構の必要性が存在する。したがって、開示されるシステム10は、ディスプレイLED22が実装される回路板24の面とは反対側の面に実装される基準LED26を使用する。図示される実施形態において、ディスプレイLED22は、ビデオスクリーンを見ている人の目に触れることになる回路板24の前面にあり、基準LED26は、スクリーンを見ている人の目には触れないことになる回路板24の背面に実装される。モジュール20の通常の動作中、基準LED26は、ディスプレイLED22が駆動されるのと同じように駆動される。このように、基準LED26は、ディスプレイLED22と同じ劣化を受ける。
【００１６】
回路板24(図示せず)またはモジュール20の他の部分にやはり固定される光センサ28が、基準LED26から離間されている。モジュール20の初期使用中(すなわち工場で)、および自動調節プロセス中、光センサ28は、基準LED26からの出力を検知し、対応する信号を、基準LED22を駆動するために使用される同じプロセッサまたは制御パネルに出力する。光センサ28は、基準LED26の出力が、(後述される)自動色彩調節プロセスに必要でない場合は、その出力を検知する必要がないことを理解すべきである。
【００１７】
システム10は、モジュール20の初期使用時に、(光センサ28を介した)基準LED26からの色彩/輝度情報を記憶する第1のメモリデバイス30を含む。このことは、モジュール20が製造され、初期に組み立てられ試験された工場で行うことができる。所望の実施形態において、第1のメモリデバイス30は、その制御パネルを有するLEDビデオスクリーンにおけるモジュール20の初期使用時に、(光センサ28を介した)基準LED26からの色彩/輝度情報を記憶する。明らかになるように、第1のメモリデバイス30に記憶された情報は、自動色彩調節プロセス全体にわたって基準レベル(すなわち、劣化していない100%完全に機能するLED26)として使用されることになる。システム10は、モジュール20の初期使用後、(光センサ28を介した)基準LED26からの現在の色彩/輝度情報を記憶する第2のメモリデバイス32を含む。第2のメモリデバイス32の中の情報は、基準LED26の現在の状態が確実にキャプチャされるように自動調節プロセスが実行される度に更新される。
【００１８】
第1のメモリデバイス30は、好ましくは、不揮発性メモリデバイス(例えば、シリアルプログラマブル読取り専用メモリ(「SPROM」)などのプログラマブルROM、電気的消去可能なプログラマブル読取り専用メモリ(「EEPROM」)、バッテリでバックアップされたランダムアクセスメモリ(「BRAM」)など)であり、好ましくは、モジュール20内に存在する。第2のメモリデバイス32は、第1のメモリデバイス30がプログラマブル不揮発性メモリ(例えば、EEPROMまたはBRAM)である場合、第1のメモリデバイス30の一部であってもよい。第2のメモリデバイス32は、必要に応じて、別個のメモリデバイスまたはハードウェアレジスタとする場合もある。第2のメモリデバイス32は、その内容が定期的に変更しているので、不揮発性メモリデバイスである必要がないことを理解すべきである。さらに、第2のメモリデバイス32は、好ましくは、モジュール20内に含まれるが、第2のメモリデバイス32が、スクリーンの制御パネル内に、別個のメモリとして、またはより大きいメモリの一部として存在することもあり得、ソフトウェアテーブルによって表されることさえあり得ることを理解すべきである。
【００１９】
2つのメモリデバイス30、32の中の情報は、基準LED26が受けているいずれの劣化も決定するために、比較され(別個の「比較」構成要素38と示されている)、プロセッサまたは制御パネルによって分析される。以降、用語「制御パネル」は、LEDビデオスクリーンおよびその個々のモジュール20を制御するために使用されるプロセッサ、コントローラ、または制御パネルを示すために使用される。比較構成要素38は、ハードウェアまたはソフトウェアの中に実装されてもよく、好ましくは、モジュール20に存在する。しかし、比較構成要素38は、制御パネルとは別個の構成要素である必要はなく、本実施形態が、そのように限定すべきでないことを理解すべきである。すなわち、比較構成要素38によって実行される機能は、必要に応じて、制御パネルによって実施されてもよい。図1はまた、スイッチ36が第1の位置にあるとき、第2のメモリデバイス32を比較構成要素38に接続し、スイッチ36が第2の位置にあるとき、制御パネルを比較構成要素38に接続するスイッチ36を示している。スイッチ36の2つの接続は、第2のメモリデバイス32からの情報が比較構成要素38によって入力され、次いで、この比較構成要素38が、基準LED26の記憶された基準レベルに対する基準LED26の現在の出力レベルの比較を行う、第1の状況と、制御パネルが調節レベルを比較構成要素38に出力し、次いで、この比較構成要素38が、ドット補正構成要素40によって使用されて、(後述される)ディスプレイLED22の出力レベルを調節する、第2の状況とを示している。
【００２０】
スイッチ36は、自動調節プロセスを実行する時間であるとき、制御パネルによって制御される。したがって、自動色彩調節を実行する必要があるシステム10の構成要素はすべて、制御パネルによって駆動され、比較の結果を出力し、制御パネルによって向けられる所要のドット補正を実施することができるように、モジュール20の一部であるか、またはモジュール20内に存在する。図示される実施形態が、このスイッチング構成に限定されないこと、ならびに比較する機能、比較された信号を分析すること、およびドット補正を実施することのすべてが、必要に応じて、制御パネルによって実行され得ることを理解すべきである。
【００２１】
図2は、図1に示す複数のLEDディスプレイモジュール20から成るLEDビデオスクリーン100を示している。図示される実施形態において、スクリーン100は、モジュール20のアレイとして編成される。所望の実施形態において、スクリーン100に含まれているそれぞれのモジュール20の基準LED26は、100%白色へと駆動されることによって初期に試験される。それぞれのセンサ28が、その関連基準LED26の出力を検知し、その値をモジュール20内に含まれている第1のメモリデバイス30に出力する。この初期値は、恒久的に保存され、個々のモジュール20についての基準値として、後に使用される。この試験は、モジュール20がディスプレイパネルの一部としてまたは最終製品LEDビデオスクリーン100として、含まれる前に工場で実行されても、あるいは含まれた後に工場で実行されてもよい。1つの実施形態において、この初期の試験および基準値の保存は、制御パネルがスクリーン100を初めてアクティブにするとき、スクリーン100を制御するために使用される制御パネルによって実行される。
【００２２】
ビデオスクリーン100の通常の動作中、それぞれの基準LED26は、ディスプレイLED22と同じように駆動され、このように、基準LED26は、ディスプレイ22と同じ劣化を受ける。自動調節プロセスを行う時間であるとき、制御パネルは、100%白色で基準LED26を駆動し、(センサ28を介して)基準LED26の検知された出力が、関連する比較構成要素38に送られるようにスイッチ36を切り替える。比較構成要素38からの出力は、スクリーン100を制御するために使用される単独の制御パネルによって処理され、この制御パネルは、それぞれのモジュール20が劣化した百分率を決定する。制御パネルは、100%から劣化の百分率を減算して、それぞれのモジュール20の現在の色彩/輝度の百分率を決定する。次いで、制御パネルは、スクリーン100におけるそれぞれのモジュール20に新規色彩/輝度の百分率を割り当てる。
【００２３】
図2は、制御パネルがスクリーン100における様々なモジュール20に割り当てた例示的な色彩/輝度の百分率を示している。例えば、モジュール20aの色彩/輝度の百分率は、60%であり、モジュール20bの色彩/輝度の百分率は、67%であり、モジュール20cの色彩/輝度の百分率は、依然、100%である(すなわち、モジュール20cは、全く劣化を受けていない)。補正がなされないままであった場合、スクリーン100の色彩/輝度は、それぞれのモジュール20において異なるものとなり、このスクリーン100に非均一な色彩/輝度が残される。しかし、制御パネルは、色彩/輝度の百分率のすべてを比較して、最小値を見出す。図2の例では、最小色彩/輝度の百分率は、スクリーン100におけるモジュール20aおよび他の斜線のモジュールと関連付けられる60%である。制御パネルは、スクリーン100の色彩/輝度出力が均一になるように、それぞれのモジュール20についての色彩/輝度レベルとしてこの最小値(すなわち、60%)を使用する。
【００２４】
プロセッサは、スイッチ36を第2の位置に切り替え、均一な色彩/輝度レベルを(比較構成要素38を介して)それぞれのモジュール20におけるドット補正構成要素40に出力する。次いで、それぞれのモジュール20は、ドット補正構成要素40によって補正され、それにより、それぞれのモジュール20のすべてのディスプレイLED22が、均一な色彩/輝度の百分率で動作するようになる。図3は、本明細書に開示される自動色彩調節プロセスを経た後の図2のLEDビデオスクリーン100を示している。分かるように、それぞれのモジュール20のディスプレイLED22はすべて、60%の色彩/輝度の百分率で動作することになる。したがって、ここで、スクリーン100は、スクリーン100を形成する様々なモジュール20のディスプレイLED22の劣化レベルが異なっていることにもかかわらず、均一なディスプレイを含むことになる。
【００２５】
制御パネルが、任意の所望のレートで定期的に自動色彩調節プロセスを実行することもあり得るということを理解すべきである。制御パネルにおけるタイマまたは他の機構が、均一性が自動的に維持され得るように使用されることもあり得る。個々のモジュール20内にシステム10のすべてを含むことにより、スクリーン100を動作するために使用される同じ制御パネル以外には、人間の介在もまたは外部の機器も、開示される自動色彩調節方式を実施するのに必要ではない。したがって、本明細書に開示されるシステムおよび方法は、従来の調節プロセスよりも効率的であり、費用効果がある。
【００２６】
具体的な実施形態が本明細書に示され、説明されてきたが、様々な代替のおよび/または均等な実装形態が、本発明の範囲から逸脱することなく示され、説明される具体的な実施形態に取って代わることが可能であることは、当業者には理解されよう。本願は、本明細書に論じられた具体的な実施形態のいずれの適合形態または変更形態をも網羅するように意図される。そのため、本発明はその特許請求の範囲および均等物によってのみ限定されることが意図される。
【符号の説明】
【００２７】
10  自動色彩調節のためのシステム
20  LEDディスプレイインテリジェントモジュール
20a  モジュール
20b  モジュール
20c  モジュール
22  ディスプレイLED
24  回路板
26  基準LED
28  光センサ
30  第1のメモリデバイス
32  第2のメモリデバイス
36  スイッチ
38  比較構成要素
40  ドット補正構成要素
100  LEDビデオスクリーン
【図１】
2014102484.tif 000003
【図２】
2014102484.tif 000004
【図３】
2014102484.tif 000005
【外国語明細書】
2014102484000001.pdf